(57)【特許請求の範囲】
【請求項１】
複数の内線電話機が接続され、音声および制御信号をデジタル信号として取り扱う構内交換機であって、
接続されている前記複数の内線電話機の情報を記憶している電話機情報記憶手段と、
前記複数の内線電話機の内のいずれかから発呼がなされたとき、発呼した前記内線電話機の情報を前記電話機情報記憶手段から発信者情報として読み出す発信者情報読出手段と、
該発信者情報読出手段により読み出された前記発信者情報を前記デジタル信号として出力する発信者情報出力手段と、
該発信者情報出力手段から出力された前記デジタル信号の前記発信者情報をアナログ信号に変換して、該変換された前記アナログ信号の前記発信者情報を発呼された前記内線電話機に送出するアナログ信号送出手段と、
前記複数の内線電話機の内のいずれかから発呼がなされたとき、前記アナログ信号送出手段と前記発呼された前記内線電話機との間に通話路を確保する通話路確保手段とを具備し、
前記アナログ信号送出手段は、前記発呼された前記内線電話機への前記発信者情報の送出後に発信者情報送出済信号を前記通話路確保手段に出力させ、
前記通話路確保手段は、前記発信者情報送出済信号を受信することにより、前記アナログ信号送出手段と前記発呼された前記内線電話機との間に確保した前記通話路を解放させることを特徴とする構内交換機。
【請求項２】
複数の内線電話機が接続され、音声および制御信号をデジタル信号として取り扱う構内交換機であって、
接続されている前記複数の内線電話機の情報を記憶している電話機情報記憶手段と、
前記複数の内線電話機の内のいずれかから発呼がなされたとき、発呼した前記内線電話機の情報を前記電話機情報記憶手段から発信者情報として読み出す発信者情報読出手段と、
該発信者情報読出手段により読み出された前記発信者情報を前記デジタル信号として出力する発信者情報出力手段と、
該発信者情報出力手段から出力された前記デジタル信号の前記発信者情報をアナログ信号に変換して、該変換された前記アナログ信号の前記発信者情報を発呼された前記内線電話機に送出するアナログ信号送出手段と、
前記複数の内線電話機の内のいずれかから発呼がなされたとき、前記アナログ信号送出手段と前記発呼された前記内線電話機との間に通話路を確保する通話路確保手段とを具備し、
該通話路確保手段は、前記発信者情報出力手段による前記デジタル信号の前記発信者情報の出力から予め定められた所定時間後に前記アナログ信号送出手段と前記発呼された前記内線電話機との間に確保した前記通話路を解放させることを特徴とする構内交換機。
【請求項３】
外部局線網とのインターフェースを行う局線トランクを具備し、
前記電話機情報記憶手段は、前記局線トランクに着信があったとき、前記局線トランクにより受信した外線電話機の情報を前記発信者情報として記憶させることを特徴とする請求項１又は２記載の構内交換機。
【請求項４】
複数の内線電話機が接続され、音声および制御信号をデジタル信号として取り扱う構内交換機における発信者情報通知方法であって、
前記複数の内線電話機の情報を記憶させておき、
前記複数の内線電話機の内のいずれかから発呼がなされたとき、発呼した前記内線電話機の情報を前記記憶している前記複数の内線電話機の情報から発信者情報として読み出し、
該読み出した前記発信者情報を前記デジタル信号として出力し、
該出力した前記デジタル信号の前記発信者情報をアナログ信号に変換し、
発呼された前記内線電話機との間の通話路を確保し、
該確保した前記通話路を介して前記変換した前記アナログ信号の前記発信者情報を前記発呼された前記内線電話機に送出し、
前記発呼された前記内線電話機への前記発信者情報の送出後に発信者情報送出済信号を出力し、
該出力した前記発信者情報送出済信号を受信することにより、前記発呼された前記内線電話機との間に確保した前記通話路を解放することを特徴とする構内交換機における発信者情報通知方法。
【請求項５】
複数の内線電話機が接続され、音声および制御信号をデジタル信号として取り扱う構内交換機における発信者情報通知方法であって、
前記複数の内線電話機の情報を記憶させておき、
前記複数の内線電話機の内のいずれかから発呼がなされたとき、発呼した前記内線電話機の情報を前記記憶している前記複数の内線電話機の情報から発信者情報として読み出し、
該読み出した前記発信者情報を前記デジタル信号として出力し、
該出力した前記デジタル信号の前記発信者情報をアナログ信号に変換し、
発呼された前記内線電話機との間の通話路を確保し、
該確保した前記通話路を介して前記変換した前記アナログ信号の前記発信者情報を前記発呼された前記内線電話機に送出し、
前記デジタル信号の前記発信者情報の出力から予め定められた所定時間後に前記発呼された前記内線電話機との間に確保した前記通話路を解放することを特徴とする構内交換機における発信者情報通知方法。
【請求項６】
外部局線網とのインターフェースを行う局線トランクに着信があったとき、前記局線トランクにより受信した外線電話機の情報を前記発信者情報として記憶することを特徴とする請求項４又は５記載の構内交換機における発信者情報通知方法。
【請求項７】
請求項４乃至６のいずれかに記載の構内交換機における発信者情報通知方法を実行可能なプログラムが記憶されている記憶媒体。
【発明の詳細な説明】
【０００１】
【発明の属する技術分野】
本発明は、構内交換機に関し、特に発呼した発信電話機の発信者情報を発呼された着信電話機に通知する構内交換機および構内交換機における発信者情報通知方法に関する。
【０００２】
【従来の技術】
表示部に発信先の電話番号等の発信者情報を表示できる電話機が一般的になってきており、このような電話機はアナログ信号で発信者情報を受け付けるのが標準的である。
【０００３】
アナログ信号で発信者情報を受け付ける電話機をデジタル交換機に接続する場合には、デジタル交換機と電話機との間に接続されているライン回路でデジタル交換機からデジタル信号で送られてくる発信者情報をアナログ信号に変換し、変換したアナログ信号の発信者情報を電話機に送ることが行われている。
【０００４】
【発明が解決しようとする課題】
しかしながら、従来技術には、ライン回路内部でデジタル信号で送られてきた発信者情報をアナログ信号に変換するため、電話機に接続されている全てのライン回路毎にデジタル信号で送られてきた発信者情報をアナログ信号に変換する機能を設けなければならず、さらにライン回路で電話機への発信者情報のメッセージを作成している間、処理速度の速いデジタル交換機のＣＰＵは待たされることになり、交換機システム全体の処理能力が落ちてしまうという問題点があった。
【０００５】
本発明は斯かる問題点を鑑みてなされたものであり、その目的とするところは、電話機に接続されているライン回路にデジタル信号で送られてきた発信者情報をアナログ信号に変換する機能を設けることなく、さらにライン回路で電話機への発信者情報のメッセージを作成することがないため、処理速度の速いデジタル交換機のＣＰＵが待たされることがなく、交換機システム全体の処理能力を向上することができる構内交換機および構内交換機における発信者情報通知方法を提供する点にある。
【０００６】
【課題を解決するための手段】
本発明は上記課題を解決すべく、以下に掲げる構成とした。
請求項１記載の発明の要旨は、複数の内線電話機が接続され、音声および制御信号をデジタル信号として取り扱う構内交換機であって、接続されている前記複数の内線電話機の情報を記憶している電話機情報記憶手段と、前記複数の内線電話機の内のいずれかから発呼がなされたとき、発呼した前記内線電話機の情報を前記電話機情報記憶手段から発信者情報として読み出す発信者情報読出手段と、該発信者情報読出手段により読み出された前記発信者情報を前記デジタル信号として出力する発信者情報出力手段と、該発信者情報出力手段から出力された前記デジタル信号の前記発信者情報をアナログ信号に変換して、該変換された前記アナログ信号の前記発信者情報を発呼された前記内線電話機に送出するアナログ信号送出手段と、前記複数の内線電話機の内のいずれかから発呼がなされたとき、前記アナログ信号送出手段と前記発呼された前記内線電話機との間に通話路を確保する通話路確保手段とを具備し、前記アナログ信号送出手段は、前記発呼された前記内線電話機への前記発信者情報の送出後に発信者情報送出済信号を前記通話路確保手段に出力させ、前記通話路確保手段は、前記発信者情報送出済信号を受信することにより、前記アナログ信号送出手段と前記発呼された前記内線電話機との間に確保した前記通話路を解放させることを特徴とする構内交換機に存する。
また請求項２記載の発明の要旨は、複数の内線電話機が接続され、音声および制御信号をデジタル信号として取り扱う構内交換機であって、接続されている前記複数の内線電話機の情報を記憶している電話機情報記憶手段と、前記複数の内線電話機の内のいずれかから発呼がなされたとき、発呼した前記内線電話機の情報を前記電話機情報記憶手段から発信者情報として読み出す発信者情報読出手段と、該発信者情報読出手段により読み出された前記発信者情報を前記デジタル信号として出力する発信者情報出力手段と、該発信者情報出力手段から出力された前記デジタル信号の前記発信者情報をアナログ信号に変換して、該変換された前記アナログ信号の前記発信者情報を発呼された前記内線電話機に送出するアナログ信号送出手段と、前記複数の内線電話機の内のいずれかから発呼がなされたとき、前記アナログ信号送出手段と前記発呼された前記内線電話機との間に通話路を確保する通話路確保手段とを具備し、該通話路確保手段は、前記発信者情報出力手段による前記デジタル信号の前記発信者情報の出力から予め定められた所定時間後に前記アナログ信号送出手段と前記発呼された前記内線電話機との間に確保した前記通話路を解放させることを特徴とする構内交換機に存する。
また請求項３記載の発明の要旨は、外部局線網とのインターフェースを行う局線トランクを具備し、前記電話機情報記憶手段は、前記局線トランクに着信があったとき、前記局線トランクにより受信した外線電話機の情報を前記発信者情報として記憶させることを特徴とする請求項１又は２記載の構内交換機に存する。また請求項４記載の発明の要旨は、複数の内線電話機が接続され、音声および制御信号をデジタル信号として取り扱う構内交換機における発信者情報通知方法であって、前記複数の内線電話機の情報を記憶させておき、前記複数の内線電話機の内のいずれかから発呼がなされたとき、発呼した前記内線電話機の情報を前記記憶している前記複数の内線電話機の情報から発信者情報として読み出し、該読み出した前記発信者情報を前記デジタル信号として出力し、該出力した前記デジタル信号の前記発信者情報をアナログ信号に変換し、発呼された前記内線電話機との間の通話路を確保し、該確保した前記通話路を介して前記変換した前記アナログ信号の前記発信者情報を前記発呼された前記内線電話機に送出し、前記発呼された前記内線電話機への前記発信者情報の送出後に発信者情報送出済信号を出力し、該出力した前記発信者情報送出済信号を受信することにより、前記発呼された前記内線電話機との間に確保した前記通話路を解放することを特徴とする構内交換機における発信者情報通知方法に存する。
また請求項５記載の発明の要旨は、複数の内線電話機が接続され、音声および制御信号をデジタル信号として取り扱う構内交換機における発信者情報通知方法であって、前記複数の内線電話機の情報を記憶させておき、前記複数の内線電話機の内のいずれかから発呼がなされたとき、発呼した前記内線電話機の情報を前記記憶している前記複数の内線電話機の情報から発信者情報として読み出し、該読み出した前記発信者情報を前記デジタル信号として出力し、該出力した前記デジタル信号の前記発信者情報をアナログ信号に変換し、発呼された前記内線電話機との間の通話路を確保し、該確保した前記通話路を介して前記変換した前記アナログ信号の前記発信者情報を前記発呼された前記内線電話機に送出し、前記デジタル信号の前記発信者情報の出力から予め定められた所定時間後に前記発呼された前記内線電話機との間に確保した前記通話路を解放することを特徴とする構内交換機における発信者情報通知方法に存する。
また請求項６記載の発明の要旨は、外部局線網とのインターフェースを行う局線トランクに着信があったとき、前記局線トランクにより受信した外線電話機の情報を前記発信者情報として記憶することを特徴とする請求項４又は５記載の構内交換機における発信者情報通知方法に存する。
また請求項７記載の発明の要旨は、請求項４乃至６のいずれかに記載の構内交換機における発信者情報通知方法を実行可能なプログラムが記憶されている記憶媒体に存する。
【０００７】
【発明の実施の形態】
以下、本発明の実施の形態を図面に基づいて詳細に説明する。
【０００８】
図１は、本発明に係る構内交換機の実施の形態の構成を示すブロック図である。
【０００９】
本実施の形態の構内交換機１１は、音声および制御信号をデジタル信号として取り扱うデジタル交換機であり、図示しないライン回路を介して複数の内線電話機１２、１３と、局線トランク１４とが接続されている。構内交換機１１は、発信者情報が記憶されている記憶装置１５と、構内交換機１１全体の制御を行う中央演算装置１６と、中央演算装置１６からデジタル信号で送られてくる発信者情報をアナログ信号に変換して内線電話機１２、１３に送信するアナログ信号送出装置１７とで構成されている。
【００１０】
内線電話機１２、１３は、発信者情報をアナログ信号で受信して表示することができる内線電話機であり、アナログ信号の発信者情報を受信し、発信内線の内線番号、内線番号に対応する名前情報等の発信者情報を液晶画面等のディスプレイに表示する。また局線トランク１４は、外部局線網とのインターフェース回路で外線から内線電話機１２、１３への発呼を着信する。
【００１１】
記憶装置１５は、構内交換機１１に接続されている内線電話機１２、１３の内線番号、内線番号に対応する名前情報等の情報が発信者情報として記憶されているとともに、発信者情報を通知可能な局線トランク１４に着信があった際に、発信者番号、発信者番号に対応する名前情報等を発信者情報として記憶する。
【００１２】
中央演算装置１６は、内線電話機１２、１３のいずれかから発呼があったとき、または局線トランク１４に着信があったとき、発呼を行った内線電話機もしくは着信のあった局線トランク１４（以下、発信側と称す）と、発呼された内線電話機（以下、着信内線と称す）との間に通話路１８を確保するとともに、アナログ信号送出装置１７を捕捉して着信内線とアナログ信号送出装置１７との間の通話路１９を確保し、発信側の発信者情報を記憶装置１５から読み出し、アナログ信号送出装置１７にデジタル信号として通知する。そしてアナログ信号送出装置１７からの発信者情報送信済信号を受信することにより着信内線とアナログ信号送出装置１７との間の通話路１９を解放する。
【００１３】
アナログ信号送出装置１７は、中央演算装置１６によって通知されたデジタル信号の発信者情報をアナログ信号に変換して、変換したアナログ信号の発信者情報を通話路１９を通じて内線電話機１２、１３に送出する。
【００１４】
次に本実施の形態の動作を図２に基づいて詳細に説明する。
図２は、本発明に係る構内交換機の実施の形態の動作を説明するためのフローチャートである。
【００１５】
構内交換機１１に接続されている内線電話機１３から内線電話機１２に対して発呼がなされた場合を想定して説明する。
【００１６】
内線電話機１３から内線電話機１２に対して発呼がなされると中央演算装置１６は、内線電話機１３と内線電話機１２との間の通話路１８を確保するとともに、アナログ信号送出装置１７を捕捉し（Ａ１）、内線電話機１２とアナログ信号送出装置１７との間の通話路１９を確保する（Ａ２）。
【００１７】
次に中央演算装置１６は、記憶装置１５を検索し（Ａ３）、発信者情報がある場合には、内線電話機１３の内線番号、内線番号に対応する名前情報等の発信者情報を読み出し（Ａ４）、発信者情報がない場合には、非通知情報を作成し（Ａ５）、発信者情報をデジタル信号としてアナログ信号送出装置１７に通知を行う（Ａ６）。
【００１８】
次にアナログ信号送出装置１７は、デジタル信号として通知された発信者情報をアナログ信号に変換し（Ａ７）、変換したアナログ信号の発信者情報を通話路１９を介して内線電話機１２に送出し（Ａ８）、アナログ信号送出装置１７からの変換したアナログ信号の発信者情報を受信した内線電話機１２のディスプレイには、内線電話機１３の発信者情報が表示される。
【００１９】
次にアナログ信号送出装置１７は、変換したアナログ信号の発信者情報の送出完了後、発信者情報送信済信号を中央演算装置１６に出力し、中央演算装置１６は、アナログ信号送出装置１７からの発信者情報送信済信号を受信することにより着信内線とアナログ信号送出装置１７との間の通話路１９を解放する。
【００２０】
なお、局線トランク１４に着信があった場合には、送られてきた発信者番号、発信者番号に対応する名前情報等の情報を発信者情報として記憶装置１５に一旦記憶する動作が追加され、その他の動作は、内線電話間の通話と同様である。
【００２１】
以上説明したように、本発明の実施の形態によれば、構内交換機１１内にアナログ信号送出装置１７を設けることにより、内線電話機に接続されているライン回路にデジタル信号で送られてきた発信者情報をアナログ信号に変換する機能を設けることなく、さらにライン回路で電話機への発信者情報のメッセージを作成することがないため、処理速度の速いデジタル交換機のＣＰＵが待たされることがなく、交換機システム全体の処理能力を向上することができるという効果を奏する。
【００２２】
さらに本発明の実施の形態によれば、ライン回路にデジタル信号で送られてきた発信者情報をアナログ信号に変換する機能を設けることなく、アナログ信号送出装置１７を発信者情報を送出後に解放するため、最小限のアナログ信号送出装置１７を設けるだけでよく、システムを安価なものとすることができるという効果を奏する。
【００２３】
なお、本実施の形態では、構内交換機１１に発信者情報をアナログ信号で受信して表示することができる内線電話機１２、１３が接続されている例を説明したが、実際には、数多くの内線電話機が構内交換機１１に接続されており、中央演算装置１６は、接続されている内線電話機が発信者情報をアナログ信号で受信して表示することができる内線電話機か否かを把握し、発信者情報をアナログ信号で受信して表示することができる内線電話機に対してのみアナログ信号送出装置１７を介して発信者情報を通知する。
【００２４】
また本実施の形態では、アナログ信号送出装置１７が１つの場合を説明したが、アナログ信号送出装置１７の使用頻度が多い場合には、複数のアナログ信号送出装置１７を設けるとより好適である。
【００２５】
また本実施の形態では、中央演算装置１６が、アナログ信号送出装置１７からの発信者情報送信済信号を受信することにより着信内線とアナログ信号送出装置１７との間の通話路１９を解放するように構成したが、中央演算装置１６からアナログ信号送出装置１７へのデジタル信号の発信者情報の通知後、予め定めた所定時間後に着信内線とアナログ信号送出装置１７との間の通話路１９を解放するように構成しても、本実施の形態と同様の効果が得られる。
【００２６】
さらに本実施の形態では、構内交換機１１に内線電話機１２、１３が接続されている例を説明したが、内線電話機のかわりにデータ端末（ＰＣ）を接続することにより、アナログ信号に発信者情報だけでなく、いろいろな情報（例えば、文字メッセージ情報等）をデータ端末に通知することができるようになり、さらにデータ端末（ＰＣ）からも情報を通知することができる。
【００２７】
なお、本発明が上記各実施形態に限定されず、本発明の技術思想の範囲内において、各実施形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２８】
【発明の効果】
本発明の構内交換機および構内交換機における発信者情報通知方法は、構内交換機内にアナログ信号送出装置を設けることにより、内線電話機に接続されているライン回路にデジタル信号で送られてきた発信者情報をアナログ信号に変換する機能を設けることなく、さらにライン回路で電話機への発信者情報のメッセージを作成することがないため、処理速度の速いデジタル交換機のＣＰＵが待たされることがなく、交換機システム全体の処理能力を向上することができるという効果を奏する。
さらに本発明の構内交換機および構内交換機における発信者情報通知方法は、ライン回路にデジタル信号で送られてきた発信者情報をアナログ信号に変換する機能を設けることなく、アナログ信号送出装置を発信者情報を送出後に解放するため、最小限のアナログ信号送出装置を設けるだけでよく、システムを安価なものとすることができるという効果を奏する。
【図面の簡単な説明】
【図１】本発明に係る構内交換機の実施の形態の構成を示すブロック図である。
【図２】本発明に係る構内交換機の実施の形態の動作を説明するためのフローチャートである。
【符号の説明】
１１  構内交換機
１２、１３  内線電話機
１４  局線トランク
１５  記憶装置
１６  中央演算装置
１７  アナログ信号送出装置
１８、１９  通話路
【図１】
0003583027.tif 000002
【図２】
0003583027.tif 000003